(57)【要約】【課題】高エネルギー加速器の鉄板において測定される陽子の質量エネルギーと電子の質量エネルギーは、Ｅ＝ｍｃ２によって計算される。このエネルギーは、陽子の周囲に引き付けられている電気の光子のエネルギー×磁気の光子のエネルギーである。【解決手段】それで、電気の光子のエネルギー×磁気の光子のエネルギーの値がどのように成っているのかを調べる。ｍＫｇの物質の中の陽子のラブでできる値について調べる。ｍＫｇの物質の中の電子のラブでできる値について調べる。ｍＫｇの電子のラブでできる値について調べる。更に、陽子のラブが作る磁気の光子と電気の光子はどのように束を作るのかを調べる。そして更に、万有引力に成っているのはこの束の何かを調べる。【選択図】図２
2007236190.tif 000002
【特許請求の範囲】
【請求項１】
ｍＫｇの物質の中で、陽子のラブが１秒間に作る磁気の光子のエネルギーと電気の光子のエネルギーは夫々どのような式で求められるか。
１原子の質量＝陽子の質量ですから、
１Ｋｇの物質の陽子のラブの数＝１Ｋｇ÷（１．６７２６５×１０−２７Ｋｇ）
・１Ｋｇの物質の中で、陽子のラブが１秒間に作る磁気の光子のエネルギーは、
１Ｋｇの物質の陽子のラブの数×陽子のラブが作る１個の磁気の光子のエネルギー×１秒間にできる磁気の光子の数＝１Ｋｇ÷（１．６７２６５×１０−２７Ｋｇ）×２．６８１×１０−３６Ｊ×７．９６×１０７×（４．３４×１０４）２＝２．４０３×１０８Ｊ
２．４×１０８Ｊです。これは約ｍｃです。ｍ＝１で、ｃ≒２．４×１０８とする。
よって、ｍＫｇの物質の中で、陽子のラブが１秒間に作る磁気の光子のエネルギーは、２．４×１０８Ｊ≒ｍｃＪです。式は、ｍ×２．４×１０８Ｊ／Ｋｇ≒ｍｃＪ／ｋｇです。
・１Ｋｇの物質の中で、陽子のラブが１秒間に作る電気の光子のエネルギーは、
１Ｋｇの物質の陽子のラブの数×陽子のラブが作る１個の電気の光子のエネルギー×１秒間にできる電気の光子の数＝１Ｋｇ÷（１．６７２６５×１０−２７Ｋｇ）×１．１６４×１０−３１Ｊ×７．９６×１０７×４．３４×１０４＝２．４０４×１０８Ｊ
２．４×１０８Ｊです。これはｍｃです。ｍ＝１で、ｃ＝２．４×１０８とする。
よって、ｍＫｇの物質の中で、陽子のラブが１秒間に作る電気の光子のエネルギーは、２．４×１０８Ｊ≒ｍｃＪです。式は、Ｅ＝ｍ×２．４×１０８Ｊ／Ｋｇ≒ｍｃＪ／ｋｇです。
ｍＫｇの物質の中で、陽子のラブが１秒間に作る磁気の光子のエネルギーと電気の光子のエネルギーの式は夫々、Ｅ＝ｍ×２．４×１０８Ｊ／Ｋｇ≒ｍｃＪ／ｋｇです。
○１個の陽子のラブの場合。
Ｅ＝ｍ×２．４×１０８Ｊ／Ｋｇ＝１．６７２６５×１０−２７Ｋｇ×２．４×１０８Ｊ／Ｋｇ＝４．０１４×１０−１９Ｊ
１個の陽子のラブが１秒間に作る磁気の光子のエネルギーと電気の光子のエネルギーは夫々、４．０１４×１０−１９Ｊです。
【請求項２】
陽子のラブが１秒間に作る磁気の光子のエネルギーと電気の光子のエネルギーは夫々、Ｅ＝２．３２×１０−３２Ｊｍ÷公転軌道で、公転軌道が５．７６４×１０−１４ｍですから、Ｅ＝４．０４×１０−１９Ｊです。この式は、Ｅ＝ｍ×２．４×１０８Ｊ／Ｋｇです。
陽子のラブが１秒間に作る磁気の光子のエネルギーと電気の光子のエネルギーは夫々、Ｅ＝陽子のラブの質量×２．４×１０８Ｊ／Ｋｇ＝１．６７２６５×１０−２７Ｋｇ×２．４×１０８Ｊ＝４．０１４×１０−１９Ｊです。
よって、陽子のラブが１秒間に作る磁気の光子のエネルギーと電気の光子のエネルギーは夫々、Ｅ＝ｍ×２．４×１０８Ｊ／Ｋｇ≒ｍｃＪ／Ｋｇです。
【請求項３】
ｍＫｇの物質の中で、電子のラブが１秒間に作る磁気の光子のエネルギーと電気の光子のエネルギーは夫々どのような式で求められるか。
物質として存在する電子のラブは、原子の中に１個存在するから、電子のラブ１個を原子の質量として計算する。原子の質量＝１．６６０６×１０−２７Ｋｇ
・１Ｋｇの物質の中の電子のラブの数＝１Ｋｇ÷（１原子の質量）＝１ｋｇ÷（１．６６０６×１０−２７Ｋｇ）＝６．２２７×１０２６個
１Ｋｇの物質の中の電子のラブが１秒間に作る磁気の光子のエネルギーは、
１Ｋｇの物質の中の電子のラブの数×電子のラブが作る１個の磁気の光子のエネルギー×１秒間にできる磁気の光子の数＝１Ｋｇ÷（１原子の質量）×１．４６４×１０−３９Ｊ×（７．９６×１０７）３＝１Ｋｇ÷（１．６６０６×１０−２７Ｋｇ）×１．４６４×１０−３９Ｊ×（７．９６×１０７）３＝４．４４６×１０１１Ｊ
４．４４６×１０１１Ｊです。
よって、ｍＫｇの物質の中の電子のラブが１秒間に作る磁気の光子のエネルギーは、ｍ×４．４４６×１０１１Ｊです。
式は、Ｅ＝ｍ×４．４４６×１０１１Ｊ／Ｋｇです。
・１Ｋｇの物質の中の電子のラブが１秒間に作る電気の光子のエネルギーは、
１Ｋｇの物質の中の電子のラブの数×電子のラブが作る１個の電気の光子のエネルギー×１秒間にできる電気の光子の数＝１Ｋｇ÷（１原子の質量）×１．１６４×１０−３１Ｊ×７．９６×１０７×（４．３４×１０４）２＝１Ｋｇ÷（１．６６０６×１０−２７Ｋｇ）×１．１６４×１０−３１Ｊ×７．９６×１０７×（４．３４×１０４）２＝４．４４６×１０１１Ｊ
４．４４６×１０１１Ｊです。
よって、ｍＫｇの物質の中の電子のラブが１秒間に作る電気の光子のエネルギーは、ｍ×４．４４６×１０１１Ｊです。
式は、Ｅ＝ｍ×４．４４６×１０１１Ｊ／Ｋｇです。
ｍＫｇの物質の中で、電子のラブが１秒間に作る磁気の光子のエネルギーと電気の光子のエネルギーの式は夫々、Ｅ＝ｍ×４．４４６×１０１１Ｊ／Ｋｇです。
○１個の電子のラブの場合。
Ｅ＝ｍ×４．４４６×１０１１Ｊ／Ｋｇ＝原子の質量×４．４４６×１０１１Ｊ／Ｋｇ＝１．６６０６×１０−２７Ｋｇ×４．４４６×１０１１Ｊ／Ｋｇ＝７．３８３×１０−１６Ｊ
１個の電子のラブが１秒間に作る磁気の光子のエネルギーと電気の光子のエネルギーは夫々、７．３８３×１０−１６Ｊです。
【請求項４】
電子のラブが１秒間に作る磁気の光子のエネルギーと電気の光子のエネルギーは夫々、７．８１５×１０−２６Ｊｍ÷公転軌道で、公転軌道が１．０５８３６×１０−１０ｍですから、エネルギーは７．３８２×１０−１６Ｊです。これは、Ｅ＝ｍ×４．４４６×１０１１Ｊ／Ｋｇの値です。
物質として存在する電子のラブは、原子の中に１個存在するから、電子のラブ１個を原子の質量として計算する。ｍ＝原子の質量＝１．６６０６×１０−２７Ｋｇ
電子のラブが１秒間に作る磁気の光子のエネルギーと電気の光子のエネルギーは夫々、Ｅ＝原子の質量×４．４４６×１０１１Ｊ／Ｋｇ＝１．６６０６×１０−２７Ｋｇ×４．４４６×１０１１Ｊ／Ｋｇ＝７．３８３×１０−１６Ｊです。
よって、電子のラブが１秒間に作る磁気の光子のエネルギーと電気の光子のエネルギーは夫々、Ｅ＝原子の質量×４．４４６×１０１１Ｊ／Ｋｇです。
【請求項５】
ｍＫｇの物質の中の電子のラブが１秒間に作る磁気の光子のエネルギーは、ｍＫｇの物質の中の陽子のラブが１秒間に作る磁気の光子のエネルギーの何倍か。ｍＫｇの物質の中の電子のラブが１秒間に作る電気の光子のエネルギーは、ｍＫｇの物質の中の陽子のラブが１秒間に作る電気の光子のエネルギーの何倍か。
・ｍＫｇの物質の中の電子のラブが１秒間に作る磁気の光子のエネルギーは、ｍ×４．４４６×１０１１Ｊです。
ｍＫｇの物質の中の陽子のラブが１秒間に作る磁気の光子のエネルギーは、ｍ×２．４×１０８Ｊです。
よって、ｍＫｇの物質の中の電子のラブが１秒間に作る磁気の光子のエネルギーは、ｍＫｇの物質の中の陽子のラブが１秒間に作る磁気の光子のエネルギーの、ｍ×４．４４６×１０１１Ｊ÷（ｍ×２．４×１０８Ｊ）＝１．８５２５×１０３倍です。
・ｍＫｇの物質の中の電子のラブが１秒間に作る電気の光子のエネルギーは、ｍ×４．４４６×１０１１Ｊです。
ｍＫｇの物質の中の陽子のラブが１秒間に作る電気の光子のエネルギーは、ｍ×２．４×１０８Ｊです。
よって、ｍＫｇの物質の中の電子のラブが１秒間に作る電気の光子のエネルギーは、ｍＫｇの物質の中の陽子のラブが１秒間に作る電気の光子のエネルギーの、ｍ×４．４４６×１０１１Ｊ÷（ｍ×２．４×１０８Ｊ）＝１．８５２５×１０３倍です。
【請求項６】
ｍＫｇの電子のラブが１秒間に作る磁気の光子のエネルギーと電気の光子のエネルギーは夫々どのような式で求められるか。
電子のラブが１秒間に作る磁気の光子のエネルギーの式を、Ｅ＝ＡＪ／Ｋｇとする。
電子のラブは、９．１０９５×１０−３１Ｋｇで、１秒間に７．３８２×１０−１６Ｊの磁気の光子を作りますから、
７．３８２×１０−１６Ｊ＝Ａ×９．１０９５×１０−３１Ｋｇ
Ａ＝７．３８２×１０−１６Ｊ÷（９．１０９５×１０−３１Ｋｇ）＝８．１００×１０１４です。
よって、電子のラブが１Ｋｇで１秒間に作る磁気の光子のエネルギーの式は、
Ｅ＝８．１×１０１４Ｊ／Ｋｇです。
電子のラブがｍＫｇで１秒間に作る磁気の光子のエネルギーの式は、
Ｅ＝ｍ×８．１×１０１４Ｊ／Ｋｇです。
電子のラブがｍＫｇで１秒間に作る電気の光子のエネルギーの式は、
Ｅ＝ｍ×８．１×１０１４Ｊ／Ｋｇです。
ｍＫｇの電子のラブが１秒間に作る磁気の光子のエネルギーと電気の光子のエネルギーの式は夫々、Ｅ＝ｍ×８．１×１０１４Ｊ／Ｋｇです。
○１個の電子のラブの場合。
Ｅ＝ｍ×８．１×１０１４Ｊ／Ｋｇ＝９．１０９５×１０−３１Ｋｇ×８．１×１０１４Ｊ／Ｋｇ＝７．３７９×１０−１６Ｊ
１個の電子のラブが１秒間に作る磁気の光子のエネルギーと電気の光子のエネルギーは夫々、７．３７９×１０−１６Ｊです。
【請求項７】
ｍＫｇの物質の中の陽子のラブが１秒間に作る電気の光子のエネルギー×磁気の光子のエネルギーはどのような式で求められるか。
▲１▼電子の光子１個と磁気の光子１個を基本単位にする場合。
「請求項１」より、ｍＫｇの物質の中で、陽子のラブが１秒間に作る磁気の光子のエネルギーと電気の光子のエネルギーの式は夫々、Ｅ＝ｍ×２．４×１０８Ｊ／Ｋｇ≒ｍｃＪ／ｋｇです。
それで、ｍＫｇの物質の中で、陽子のラブが１秒間に作る電気の光子のエネルギー×磁気の光子のエネルギーは、
（ｍ×２．４×１０８Ｊ）２＝ｍ２×５．７７６×１０１６Ｊです。
ｍＫｇの物質の中で、陽子のラブが１秒間に作る電気の光子のエネルギー×磁気の光子のエネルギーを求める式は、Ｅ＝ｍ２×５．７７６×１０１６Ｊ／Ｋｇです。
○１個の陽子のラブの場合。
Ｅ＝ｍ２×５．７７６×１０１６Ｊ／Ｋｇ＝陽子のラブの質量２×５．７７６×１０１６Ｊ／Ｋｇ＝（１．６７２×１０−２７Ｋｇ）２×５．７７６×１０１６Ｊ／Ｋｇ＝１．６１５×１０−３７Ｊ
１個の陽子のラブが１秒間に作る電気の光子のエネルギー×磁気の光子のエネルギーは、１．６１５×１０−３７Ｊです。
又、陽子のラブが１秒間に作る電気の光子のエネルギーと磁気の光子のエネルギーは夫々、４．０２×１０−１９Ｊですから、
陽子のラブが１秒間に作る電気の光子のエネルギー×磁気の光子のエネルギー＝（４．０２×１０−１９Ｊ）２＝１．６１６×１０−３７Ｊです。
従って、Ｅ＝ｍ２×５．７７６×１０１６Ｊ／Ｋｇの式は正しい。
・ｍＫｇの物質の中で、陽子のラブが１秒間に作る電気の光子のエネルギーと磁気の光子のエネルギーは夫々、ｍｃＪであるとするならば、ｍＫｇの物質の中で、陽子のラブが１秒間に作る磁気の光子のエネルギー×電気の光子のエネルギーは、ｍ２ｃ２Ｊです。
▲２▼電気の光子のエネルギーと磁気の光子のエネルギーの基本単位を１束（核磁子）とする場合。
１個の陽子のラブは１秒間に電気の光子を７．９６×１０７束作り、磁気の光子を７．９６×１０７束作る。
１個の陽子のラブが１秒間に作る電気の光子のエネルギー×磁気の光子のエネルギー＝核磁子×（７．９６×１０７束）２＝５．０５×１０−２７Ｊ×（７．９６×１０７束）２＝３．２×１０−１１Ｊ
１Ｋｇの物質の中の陽子のラブが１秒間に作る電気の光子のエネルギー×磁気の光子のエネルギーは、
１Ｋｇの物質の中の陽子のラブの数×核磁子×１秒間にできる電気の光子の束×１秒間にできる磁気の光子の束＝１Ｋｇ÷陽子の質量×５．０５×１０−２７Ｊ×７．９６×１０７束×７．９６×１０７束＝＝１Ｋｇ÷（１．６７２×１０−２７Ｋｇ）×５．０５×１０−２７Ｊ×７．９６×１０７束×７．９６×１０７束＝１．９１４×１０１６Ｊです。
ｍＫｇでは、ｍ×１．９１４×１０１６Ｊです。
ｍＫｇの物質の中の陽子のラブが１秒間に作る電気の光子のエネルギー×磁気の光子のエネルギーを求める式は、Ｅ＝ｍ×１．９１４×１０１６Ｊ／Ｋｇです。
○１個の陽子のラブの場合。
Ｅ＝ｍ×１．９１４×１０１６Ｊ／Ｋｇ＝陽子のラブの質量×１．９１４×１０１６Ｊ／Ｋｇ＝（１．６７２×１０−２７Ｋｇ）×１．９１４×１０１６Ｊ／Ｋｇ＝３．２０×１０−１１Ｊ
１個の陽子のラブが１秒間に作る電気の光子のエネルギー×磁気の光子のエネルギーは、３．２０×１０−１１Ｊです。
又、陽子のラブが１秒間に作る電気の光子のエネルギー×磁気の光子のエネルギーは、
核磁子×（７．９６×１０７束）２＝５．０５×１０２７Ｊ×（７．９６×１０７束）２＝３．２×１０−１１Ｊです。
・このように、光子の基本単位を１個の光子にする場合と、１束の光子にする場合では、式が変わってくる。
求めるエネルギーも変わってくる。
▲１▼の場合は、求めるエネルギーは小さすぎるので、▲２▼の値です。
【請求項８】
ｍＫｇの物質の中の電子のラブが１秒間に作る電気の光子のエネルギー×磁気の光子のエネルギーはどのような式で求められるか。
▲１▼電気の光子１個と磁気の光子１個を基本単位とする場合。
「請求項３」より、ｍＫｇの物質の中で、電子のラブが１秒間に作る磁気の光子のエネルギーと電気の光子のエネルギーの式は夫々、Ｅ＝ｍ×４．４４６×１０１１Ｊ／Ｋｇです。
それで、ｍＫｇの物質の中の電子のラブが１秒間に作る電気の光子のエネルギー×磁気の光子のエネルギーは、
（ｍ×４．４４６×１０１１Ｊ）２＝ｍ２×１．９７７×１０２３Ｊです。
ｍＫｇの物質の中の電子のラブが１秒間に作る電気の光子のエネルギー×磁気の光子のエネルギーを求める式は、Ｅ＝ｍ２×１．９７７×１０２３Ｊ／Ｋｇです。
○１個の電子のラブの場合。
この場合、１原子に１個の電子のラブが存在するので、１電子のラブの質量を１原子の質量として計算する。
Ｅ＝ｍ２×１．９７７×１０２３Ｊ／Ｋｇ＝原子の質量２×１．９７７×１０２３Ｊ／Ｋｇ＝（１．６６０６×１０−２７Ｋｇ）２×１．９７７×１０２３Ｊ／Ｋｇ＝５．４５２×１０−３１Ｊ
１個の電子のラブが１秒間に作る電気の光子のエネルギー×磁気の光子のエネルギーは、５．４５２×１０−３１Ｊです。
又、電子のラブが１秒間に作る電気の光子のエネルギーと磁気の光子のエネルギーは夫々、７．３８２×１０−１６Ｊですから、
電子のラブが１秒間に作る電気の光子のエネルギー×磁気の光子のエネルギー＝（７．３８２×１０−１６Ｊ）２＝５．４４９×１０−３１Ｊ
５．４４９×１０−３１Ｊです。
よって、Ｅ＝ｍ２×１．９７７×１０２３Ｊ／Ｋｇの式は正しい。
▲２▼電気の光子のエネルギーと磁気の光子のエネルギーの基本単位を１束（ボーア磁子）とする場合。
１個の電子のラブは１秒間に電気の光子を７．９６×１０７束作り、磁気の光子を７．９６×１０７束作る。
１個の電子のラブが１秒間に作る電気の光子のエネルギー×磁気の光子のエネルギー＝ボーア磁子×（７．９６×１０７束）２＝９．２７４×１０−２４Ｊ×（７．９６×１０７束）２＝５．８７６×１０−８Ｊ
１Ｋｇの物質の中の電子のラブが１秒間に作る電気の光子のエネルギー×磁気の光子のエネルギーは、
１Ｋｇの物質の中の電子のラブの数×ボーア磁子×１秒間にできる電気の光子の束×１秒間にできる磁気の光子の束＝１Ｋｇ÷原子の質量×９．２７４×１０−２４Ｊ×７．９６×１０７束×７．９６×１０７束＝＝１Ｋｇ÷（１．６６０６×１０−２７Ｋｇ）×９．２７４×１０−２４Ｊ×７．９６×１０７束×７．９６×１０７束＝３．５３８×１０１９Ｊです。
ｍＫｇでは、ｍ×３．５３８×１０１９Ｊです。
ｍＫｇの物質の中の電子のラブが１秒間に作る電気の光子のエネルギー×磁気の光子のエネルギーを求める式は、Ｅ＝ｍ×３．５３８×１０１９Ｊ／Ｋｇです。
○１個の電子のラブの場合。
Ｅ＝原子の質量×３．５３８×１０１９Ｊ／Ｋｇ＝１．６６０６×１０−２７Ｋｇ×３．５３８×１０１９Ｊ／Ｋｇ＝５．８７５×１０−８Ｊ
１個の電子のラブが１秒間に作る電気の光子のエネルギー×磁気の光子のエネルギーは、５．８７５×１０−８Ｊです。
１個の電子のラブが１秒間に作る電気の光子のエネルギー×磁気の光子のエネルギー＝ボーア磁子×（７．９６×１０７束）２＝９．２７４×１０−２４Ｊ×（７．９６×１０７束）２＝５．８７６×１０−８Ｊ
【請求項９】
ｍＫｇの電子のラブが１秒間に作る電気の光子のエネルギー×磁気の光子のエネルギーはどのような式で求められるか。
▲１▼電気の光子１個と、磁気の光子１個を基本単位にする場合。
「請求項６」より、ｍＫｇの電子のラブが１秒間に作る磁気の光子のエネルギーと電気の光子のエネルギーの式は夫々、Ｅ＝ｍ×８．１×１０１４Ｊ／Ｋｇです。
それで、ｍＫｇの電子のラブが１秒間に作る電気の光子のエネルギー×磁気の光子のエネルギーは、
（ｍ×８．１×１０１４Ｊ）２＝ｍ２×６．５６１×１０２９Ｊです。
ｍＫｇの電子のラブが１秒間に作る電気の光子のエネルギー×磁気の光子のエネルギーを求める式は、Ｅ＝ｍ２×６．５６１×１０２９Ｊ／Ｋｇです。
○１個の電子のラブの場合。
Ｅ＝ｍ２×６．５６１×１０２９Ｊ／Ｋｇ＝（９．１０９５×１０−３１Ｋｇ）２×６．５６１×１０２９Ｊ／Ｋｇ＝５．４４５×１０−３１Ｊ
１個の電子のラブが１秒間に作る電気の光子のエネルギー×磁気の光子のエネルギーは、５．４４５×１０−３１Ｊです。
又、電子のラブが１秒間に作る電気の光子のエネルギーと磁気の光子のエネルギーは夫々、７．３８２×１０−１６Ｊですから、
１個の電子のラブが１秒間に作る電気の光子のエネルギー×磁気の光子のエネルギー＝（７．３８２×１０−１６Ｊ）２＝５．４４９×１０−３１Ｊ
５．４４９×１０−３１Ｊです。
従って、Ｅ＝ｍ２×６．５６１×１０２９Ｊ／Ｋｇの式は正しい。
▲２▼電気の光子のエネルギーと磁気の光子のエネルギーの基本単位を１束（ボーア磁子）とする場合。
１個の電子のラブは１秒間に電気の光子を７．９６×１０７束作り、磁気の光子を７．９６×１０７束作る。
１個の電子のラブが１秒間に作る電気の光子のエネルギー×磁気の光子のエネルギー＝ボーア磁子×（７．９６×１０７束）２＝９．２７４×１０−２４Ｊ×（７．９６×１０７束）２＝５．８７６×１０−８Ｊ
１Ｋｇの電子のラブが１秒間に作る電気の光子のエネルギー×磁気の光子のエネルギーは、１Ｋｇの電子のラブの数×ボーア磁子×１秒間にできる電気の光子の束×１秒間にできる磁気の光子の束＝１Ｋｇ÷電子の質量×９．２７４×１０−２４Ｊ×７．９６×１０７束×７．９６×１０７束＝＝１Ｋｇ÷（９．１０９５×１０−３１Ｋｇ）×９．２７４×１０−２４Ｊ×７．９６×１０７束×７．９６×１０７束＝６．４５１×１０２２Ｊです。
ｍＫｇでは、ｍ×６．４５１×１０２２Ｊです。
ｍＫｇの物質の中の電子のラブが１秒間に作る電気の光子のエネルギー×磁気の光子のエネルギーを求める式は、Ｅ＝ｍ×６．４５１×１０２２Ｊ／Ｋｇです。
○１個の電子のラブの場合。
Ｅ＝ｍ×６．４５１×１０２２Ｊ／Ｋｇ＝９．１０９５×１０−３１Ｋｇ×６．４５１×１０２２Ｊ／Ｋｇ＝５．８７７×１０−８Ｊ
１個の電子のラブが１秒間に作る電気の光子のエネルギー×磁気の光子のエネルギーは、５．８７７×１０−８Ｊです。
１個の電子のラブが１秒間に作る電気の光子のエネルギー×磁気の光子のエネルギー＝ボーア磁子×（７．９６×１０７束）２＝９．２７４×１０−２４Ｊ×（７．９６×１０７束）＝５．８７６×１０−８Ｊ
これを表にする。
2007236190.tif 000007
2007236190.tif 000008
【請求項１０】
引くエネルギーと引かれるエネルギーについて。
引くエネルギーと引かれるエネルギーはつりあっています。
引くエネルギー＝引かれるエネルギー
引くエネルギー＝電子のラブが作る磁気の光子のエネルギー
引かれるエネルギー＝電子のラブが作る電気の光子のエネルギー
（電子のラブが作る電気の光子のエネルギー＝電子のラブが作る磁気の光子のエネルギーであるから、）
引くエネルギー＝電子のラブが作る磁気の光子のエネルギー＝引かれるエネルギー＝電子のラブが作る電気の光子のエネルギー
電子のラブが作った磁気の光子のエネルギーによって、電気の光子は引き付けられている。
又、次のようにも考える事ができる。
引力＝（引くエネルギー）２＝（電子のラブが作る磁気の光子のエネルギー）２
電子のラブによって引かれるエネルギー＝電気の光子のエネルギー×磁気の光子のエネルギー＝（磁気の光子のエネルギー）２
よって、引力＝（引くエネルギー）２＝（電子のラブが作る磁気の光子のエネルギー）２＝電子のラブによって引かれるエネルギー＝電気の光子のエネルギー×磁気の光子のエネルギー＝（磁気の光子のエネルギー）２
電子のラブが作った磁気の光子によって、磁気の光子のエネルギーの２乗の引力ができ、磁気の光子×電気の光子を引き付けている。
この事によって、電子のラブは自分が作った電気の光子のエネルギーと磁気の光子のエネルギーを引き付けていることが理解できる。
【請求項１１】
高エネルギーで加速後、陽子のラブは鉄板を通過してしまうが、陽子のラブの周囲に引き付けられている電気の光子と磁気の光子は鉄板にあたる。その電気の光子と磁気の光子はどのような状態であるか。
陽子のラブには何束の電気の光子と、何束の磁気の光子が引き付けられているか。
引くエネルギー＝引かれるエネルギー  であるから、
陽子のラブのエネルギーと同じ電気の光子のエネルギーと磁気の光子のエネルギーが引き付けられている。
陽子のラブのエネルギー÷（核磁子）＝１．５×１０−１０Ｊ÷（５．０５×１０−２７Ｊ）＝２．９７×１０１６束
２．９７×１０１６束の電気の光子と磁気の光子が引き付けられている。
電気の光子と磁気の光子は夫々、（２．９７×１０１６束）１／２＝１．７２３×１０８束ずつ引き付けられている。
この電気の光子のエネルギーは、１．７２３×１０８束×５．０５×１０−２７Ｊ＝８．７×１０−１９Ｊです。
この電気の光子のエネルギーは、１．７２３×１０８×５．０５×１０−２７Ｊ＝８．７×１０−１９Ｊです。
しかし、引き付けられている電気の光子のエネルギー×引き付けられている磁気の光子のエネルギー＝８．７×１０−１９Ｊ×８．７×１０−１９Ｊ＝７．５６９×１０−３７Ｊであり、１．５×１０−１０Ｊには成らない。
この事は、電気の光子と磁気の光子は１個１個では存在せず、束になって存在している事を示している。
陽子のラブの周囲には、電気の光子が１．７２３×１０８束と磁気の光子が１．７２３×１０８束、引き付けられている。
１．７２３×１０８束の電気の光子と、１．７２３×１０８束の磁気の光子は何秒でできたか。
１秒に７．９６×１０７束できるから、｛１．７２３×１０８束÷（７．９６×１０７束）｝２＝４．６８７秒でできる。
陽子のラブの周囲に引き付けられている電気の光子と磁気の光子は４．６８７秒でできた。
・Ｅ＝ｍｃ２Ｊの陽子のエネルギーとは、陽子のラブの周囲に引き付けられている磁気の光子のエネルギー×電気の光子のエネルギーである。そのエネルギーは、陽子のラブが、４．６８７秒回転し作るエネルギーであり、１．７２３×１０８束ずつの電気の光子と磁気の光子のエネルギーである。この磁気の光子と電気の光子が鉄板にあたり、陽子のエネルギーとして測定されている。
【請求項１２】
高エネルギーで加速後、電子のラブは鉄板を通過してしまうが、電子のラブの周囲に引き付けられている電気の光子と磁気の光子は鉄板にあたる。その電気の光子と磁気の光子の状態はどのようであるか。
電子のラブには何束の電気の光子と、何束の磁気の光子が引き付けられているか。
電子のラブのエネルギーと同じの電気の光子のエネルギーと磁気の光子のエネルギーが引き付けられているから、
電子のラブのエネルギー÷（ボーア磁子）＝８．１８７×１０−１４Ｊ÷（９．２７４×１０−２４Ｊ）＝８．８２８×１０８束
８．８２８×１０８束の電気の光子と磁気の光子が引き付けられている。
電気の光子と磁気の光子は夫々、（８．８２８×１０８束）１／２＝９．３９６×１０４束ずつ引き付けられている。
この電気の光子のエネルギーは、９．３９６×１０４束×９．２７４×１０−２４Ｊ＝８．７１４×１０−１９Ｊです。
この電気の光子のエネルギーは、９．３９６×１０４束×９．２７４×１０−２４Ｊ＝８．７１４×１０−１９Ｊです。
しかし、引き付けられている電気の光子のエネルギー×引き付けられている磁気の光子のエネルギー＝８．７１４×１０−１９Ｊ×８．７１４×１０−１９Ｊ＝７．５９３×１０−３７Ｊであり、８．１８７×１０−１４Ｊには成らない。
この事は、電気の光子と磁気の光子は１個１個では存在せず、束になって存在している事を示している。
電子のラブの周囲には、電気の光子が９．３９６×１０４束と磁気の光子が９．３９６×１０４束、引き付けられている。
９．３９６×１０４束の電気の光子と、９．３９６×１０４束の磁気の光子は何秒でできたか。
１秒に７．９６×１０７束できるから、｛９．３９６×１０４束÷（７．９６×１０７束）｝＝１．３９２×１０−６秒でできる。
電子のラブの周囲に引き付けられている電気の光子と磁気の光子は１．３９２×１０−６秒でできた。
・Ｅ＝ｍｃ２の電子のエネルギーとは、電子のラブの周囲に引き付けられている磁気の光子のエネルギー×電気の光子のエネルギーである。そのエネルギーは、電子のラブが、１．３９２×１０−６秒回転し作るエネルギーであり、９．３９６×１０４束ずつの電気の光子と磁気の光子のエネルギーです。この磁気の光子と電気の光子が鉄板にあたり、陽子のエネルギーとして測定されている。
【請求項１３】
陽子のラブはどのように回転し、どのように電気の光子と磁気の光子の束を作るのか。
▲１▼陽子のラブは１自転し、１個の磁気の光子のコイルを作る。陽子のラブは、１公転し電気の光子のコイル１個と磁気の光子のコイル４．３４×１０４個を作る。電気の光子のコイル１個に、磁気の光子のコイルが４．３４×１０４個巻きついている。
▲２▼陽子のラブは、前に走った電気の光子のコイルの横を走る。そして電気の光子のコイルを作る。この電気の光子のコイルは磁気の光子のコイルによって次々結合し、重なり合う。この重なり合った電気の光子を「太い電気の光子のコイル」と名づける。
▲３▼磁気の光子も次々重なり合う。この重なり合った磁気の光子を「太い磁気の光子のコイル」と名づける。
▲４▼１束に成った時には、磁気の光子は４．３４×１０４個重なり合って、１つの太い磁気の光子のコイルに成り、電気の光子は４．３４×１０４個重なり合って、１つの太い電気の光子のコイルになる。１つの太い電気の光子のコイルに、４．３４×１０４個の太い磁気の光子のコイルが巻きついている。
このように陽子のラブは、規則正しく整然と自転し、公転します。
【請求項１４】
どうして陽子のラブの１束は、４．３４×１０４公転でできる電気の光子の輪が集まり、電子のラブの１束は、７．９６×１０７公転でできる電気の光子の輪が集まっているのか。
電子のラブの自転軌道＝陽子のラブの自転軌道＝４．１８×１０−１８ｍです。電子のラブの公転軌道は１．０５８×１０−１０ｍです。陽子のラブの公転軌道は５．７６４×１０−１４ｍです。
陽子のラブは、１公転したら、次の公転は前の公転軌道の隣を進みます。それで、陽子のラブが球体を１週するとき、何回公転できるか。
１週する長さ÷自転軌道＝３．１４×５．７６４×１０−１４ｍ÷（４．１８×１０−１８ｍ）＝４．３３×１０４回公転できる。
それで、この公転でできた電気の光子が１束になる。
どうして陽子のラブは前回通った道のすぐ横を進むのか。
前回通った道には磁気の光子ができているので、その磁気の光子が引き付けている。
陽子のラブは、前に作った磁気の光子のすぐ横を通って又新しく磁気の光子を作ります。
それで、磁気の光子と磁気の光子は結合し、重なり合います。
陽子のラブは、前に通った電気の光子のすぐ横を通って又新しく電気の光子を作ります。
磁気の光子と磁気の光子は結合し、重なり合いますから、電気の光子と電気の光子も結合し、重なり合います。
このように、陽子のラブは、前に通ったすぐ横を通るので、できた順に電気の光子のコイルは重なり合う事ができます。
もし、かけ離れた所をランダムに回転していたら、束を作ることは難しく成ります。
陽子のラブの周囲に引き付けられている電気の光子と磁気の光子は束になって存在しているのですから、束は電気の光子と磁気の光子が作られてすぐに束になったと考えられます。
これらの事によって、陽子のラブは、前に通ったすぐ横の公転軌道を通ると理解できます。
「神様はサイコロを振らなかった」と言えます。
電子のラブも同様です。
電子のラブは、１公転したら、次の公転は前の公転軌道の隣を進みます。それで、電子のラブが球体を１週するとき、何回公転できるか。
１週する長さ÷自転軌道＝３．１４×１．０５８×１０−１０ｍ÷（４．１８×１０−１８ｍ）＝７．９４８×１０７回公転できる。
それで、この公転でできた電気の光子が１束になる。
・１束作る時間と、１公転する時間について。
陽子のラブの場合。
１週するとき（４．３４×１０４公転するとき）の時間は、１秒÷（７．９６×１０７束）＝１．２５６×１０−８秒です。
１．２５６×１０−８秒で１束できます。
１公転するときの時間は、１．２５６×１０−８秒÷（４．３４×１０４公転）＝２．８９４×１０−１３秒です。
・電子のラブの場合。
１週するとき（７．９６×１０７公転するとき）の時間は、１秒÷（７．９６×１０７束）＝１．２５６×１０−８秒です。
１．２５６×１０−８秒で１束できます。
１公転するときの時間は、１．２５６×１０−８秒÷（７．９６×１０７公転）＝１．５７８×１０−１６秒です。
陽子のラブは１秒間に、３．４５５×１０１２回公転し、電子のラブは１秒間に、６．３３６×１０１５回も公転するので、ランダムに回転するとしか観測できない。
これを表にする。
2007236190.tif 000009
【請求項１５】
万有引力の発生原理。
私は、特願２００６−３３６３５２の「請求項２」で、
電子のラブが１自転で作る磁気の光子のエネルギー＝１．５４９×１０−４９Ｊｍ÷公転軌道
陽子のラブが１自転で作る磁気の光子のエネルギー＝１．５４９×１０−４９Ｊｍ÷公転軌道
と記しました。
よって、
電子のラブが１自転で作る磁気の光子１個のエネルギー＝１．５４９×１０−４９Ｊｍ÷公転軌道
電子のラブが作る磁気の光子１個のエネルギー＝１．５４９×１０−４９Ｊｍ÷公転軌道
電子のラブが作る磁気の光子１個のエネルギー×公転軌道＝１．５４９×１０−４９Ｊｍ
電子のラブが作る磁気の光子１個の公転軌道エネルギー＝１．５４９×１０−４９Ｊｍ
同様に、
陽子のラブが作る磁気の光子１個の公転軌道エネルギー＝１．５４９×１０−４９Ｊｍ
それで、１原子が作る磁気の光子の公転軌道エネルギーは、１．５４９×１０−４９Ｊｍ×２＝３．１×１０−４９Ｊｍです。
この磁気の光子の軌道エネルギーが万有引力になっている。
但し、陽子のラブが作る磁気の光子の数は、電子のラブが作る磁気の光子の数の１８３６分の１です。それで、万有引力は電子のラブが作る磁気の光子によってできると考えてよい。
【請求項１６】
万有引力はどのようにできるか。万有引力の解明。
万有引力は、６．６７２×１０−１１Ｊｍ／Ｋｇ２であり、これは物質１Ｋｇと物質１Ｋｇが１ｍ間隔で存在するとき、その磁気の光子の公転軌道エネルギーは６．６７２×１０−１１Ｊｍである事を示す。
ボーア磁子は核磁子の、９．２７４×１０−２４Ｊ÷（５．０５×１０−２７Ｊ）＝１８３６倍ですから、物質１Ｋｇが放出する磁気の光子は、電子のラブが作った磁気の光子です。
ボーア磁子は９．２７４×１０−２４Ｊです。この軌道は１．０５８×１０−１０ｍです。
７．９６×１０７個の電気の光子のコイルと（７．９６×１０７個）２個の磁気の光子のコイルが重なり合って、存在する束がボーア磁子である。
それで、ボーア磁子の軌道エネルギーは、９．２７４×１０−２４Ｊ×１．０５８×１０−１０ｍ＝９．８１２×１０−３４Ｊｍです。
万有引力は、６．６７２×１０−１１Ｊｍ／Ｋｇ２です。これは何個のボーア磁子か。
６．６７２×１０−１１Ｊｍ÷（９．８１２×１０−３４Ｊｍ）＝６．８０×１０２２個のボーア磁子です。
１Ｋｇから放出するボーア磁子は何個か。
（６．８０×１０２２個）１／２＝２．６０８×１０１１個のボーア磁子です。
１原子から放出するボーア磁子は何個か。
２．６０８×１０１１個÷（６×１０２６原子）＝４．３４６×１０−１６個のボーア磁子です。
このボーア磁子の公転軌道エネルギーはいくらか。
４．３４６×１０−１６個×９．８１２×１０−３４Ｊｍ＝４．２６４×１０−４９Ｊｍです。
よって、１原子から放出する磁気の光子の公転軌道エネルギーは、４．２６４×１０−４９Ｊｍです。
・これはどのようにできる磁気の光子の軌道エネルギーか。
電子のラブが作る磁気の光子１個のエネルギーは１．４６４×１０−３９Ｊです。公転軌道は１．０５８×１０−１０ｍです。
ボーア磁子の中で、磁気の光子１個の公転軌道エネルギーは、
電子のラブが作る磁気の光子１個のエネルギー×磁気の光子の公転軌道＝１．４６４×１０−３９Ｊ×１．０５８×１０−１０ｍ＝１．５４９×１０−４９Ｊｍです。
それで、このエネルギーが万有引力と成っている。
１原子から放出する磁気の光子の軌道エネルギーが万有引力に成っている。
又更に、陽子のラブが作る磁気の光子１個の公転軌道エネルギーも、
陽子のラブが作る磁気の光子１個のエネルギー×磁気の光子の公転軌道＝２．６８１×１０−３６Ｊ×５．７６４×１０−１４＝１．５４５×１０−４９Ｊｍ
１．５４５×１０−４９Ｊｍですから、この磁気の光子の公転軌道エネルギーも、万有引力に成っている。
但し、陽子のラブが作る磁気の光子の数は、電子のラブが作る磁気の光子の数の１８３６分の１です。それで、万有引力は電子のラブが作る磁気の光子によってできると考えてよい。
【発明の詳細な説明】
【技術分野】
【０００１】  この発明は、高エネルギー加速器の鉄板において測定される陽子の質量エネルギーと電子の質量エネルギーに関する。電子と陽子が作り出す万有引力に関する。
【発明の開示】
高エネルギー加速器の鉄板において測定される陽子の質量エネルギーと電子の質量エネルギーは、Ｅ＝ｍｃ２によって計算される。このエネルギーは、陽子の周囲に引き付けられている電気の光子のエネルギーと磁気の光子のエネルギーである。
私は、２００６年１２月３０日に提出した特許願において、
１Ｋｇの陽子のラブが１秒間に作る電気の光子のエネルギーは、２．４×１０８Ｊです。
それで、１Ｋｇの陽子のラブが１秒間に作る電気の光子のエネルギー×磁気の光子のエネルギー＝（２．４×１０８Ｊ）２＝です。２．４×１０８＝ｃとすると、
１Ｋｇの陽子のラブが１秒間に作る電気の光子のエネルギー×磁気の光子のエネルギー＝（２．４×１０８Ｊ）２＝ｃ２Ｊです。
よって、Ｅ＝ｍｃ２とは、１Ｋｇの陽子のラブが１秒間に作る光子のエネルギーである。
１個の陽子のラブの周囲に１．５×１０−１０Ｊの光子が引き付けられている。１個の電子のラブの周囲に８．１８７×１０−１４Ｊの光子が引き付けられている。
と記しました。
しかし、陽子のラブの周囲に引き付けられている電気の光子の束と磁気の光子の束は、
陽子のラブのエネルギー÷（核磁子）＝１．５×１０−１０Ｊ÷（５．０５×１０−２７Ｊ）＝２．９７×１０１６束です。電気の光子と磁気の光子は夫々、（２．９７×１０１６束）１／２＝１．７２３×１０８束ずつ引き付けられている。これは、１秒間にできる磁気の光子や電気の光子の束数ではない。１秒間にできる束数は、７．９６×１０７束です。
このことについて再考察します。
より詳しく調べてみます。
【発明が解決しようとする課題】
【０００３】１．ｍＫｇの物質の中で、陽子のラブが１秒間に作る磁気の光子のエネルギーと電気の光子のエネルギーは夫々どのような式で求められるか。
２．陽子のラブが１秒間に作る磁気の光子のエネルギーと電気の光子のエネルギーは夫々、Ｅ＝２．３２×１０−３２Ｊｍ÷公転軌道で、公転軌道が５．７６４×１０−１４ｍですから、Ｅ＝４．０４×１０−１９Ｊです。この式は、Ｅ＝ｍ×２．４×１０８Ｊ／Ｋｇです。
３．ｍＫｇの物質の中で、電子のラブが１秒間に作る磁気の光子のエネルギーと電気の光子のエネルギーは夫々どのような式で求められるか。
４．電子のラブが１秒間に作る磁気の光子のエネルギーと電気の光子のエネルギーは夫々、７．８１５×１０−２６Ｊｍ÷公転軌道で、公転軌道が１．０５８３６×１０−１０ｍですから、エネルギーは７．３８２×１０−１６Ｊです。これは、Ｅ＝ｍ×４．４４６×１０１１Ｊ／Ｋｇの値です。
５．ｍＫｇの物質の中の電子のラブが１秒間に作る磁気の光子のエネルギーは、ｍＫｇの物質の中の陽子のラブが１秒間に作る磁気の光子のエネルギーの何倍か。ｍＫｇの物質の中の電子のラブが１秒間に作る電気の光子のエネルギーは、ｍＫｇの物質の中の陽子のラブが１秒間に作る電気の光子のエネルギーの何倍か。
６．ｍＫｇの電子のラブが１秒間に作る磁気の光子のエネルギーと電気の光子のエネルギーは夫々どのような式で求められるか。
７．ｍＫｇの物質の中で、陽子のラブが１秒間に作る電気の光子のエネルギー×磁気の光子のエネルギーはどのような式で求められるか。
８．ｍＫｇの物質の中の電子のラブが１秒間に作る電気の光子のエネルギー×磁気の光子のエネルギーはどのような式で求められるか。
９．ｍＫｇの電子のラブが１秒間に作る電気の光子のエネルギー×磁気の光子のエネルギーはどのような式で求められるか。。
１０．引くエネルギーと引かれるエネルギーについて。
１１．高エネルギーで加速後、陽子のラブは鉄板を通過してしまうが、陽子のラブの周囲に引き付けられている電気の光子と磁気の光子は鉄板にあたる。その電気の光子と磁気の光子はどのような状態であるか。
１２．高エネルギーで加速後、電子のラブは鉄板を通過してしまうが、電子のラブの周囲に引き付けられている電気の光子と磁気の光子は鉄板にあたる。その電気の光子と磁気の光子の状態はどのようであるか。
１３．陽子のラブはどのように回転し、どのように電気の光子と磁気の光子の束を作るのか。
１４．どうして陽子のラブの１束は、４．３４×１０４公転でできる電気の光子の輪が集まり、電子のラブの１束は、７．９６×１０７公転でできる電気の光子の輪が集まっているのか。
１５．万有引力の発生原理。
１６．万有引力はどのようにできるか。万有引力の解明。
【発明を解決するための手段】
【０００４】陽子の質量エネルギーはＥ＝ｍｃ２で測定される。これは陽子のラブの周囲に引き付けられている電気の光子のエネルギー×磁気の光子のエネルギーである。それで、電気の光子のエネルギー×磁気の光子のエネルギーの値がどのように成っているのかを調べる。ｍＫｇの物質の中の陽子のラブでできる値について調べる。ｍＫｇの物質の中の電子のラブでできる値について調べる。ｍＫｇの電子のラブでできる値について調べる。更に、陽子のラブが作る磁気の光子と電気の光子はどのように束を作るのかを調べる。そして更に、万有引力に成っているのはこの束の何かを調べる。
【発明の実施態様】
【０００５】１．ｍＫｇの物質の中で、陽子のラブが１秒間に作る磁気の光子のエネルギーと電気の光子のエネルギーは夫々どのような式で求められるか。
１原子の質量＝陽子の質量ですから、
１Ｋｇの物質の陽子のラブの数＝１Ｋｇ÷（１．６７２６５×１０−２７Ｋｇ）
・１Ｋｇの物質の中で、陽子のラブが１秒間に作る磁気の光子のエネルギーは、
１Ｋｇの物質の陽子のラブの数×陽子のラブが作る１個の磁気の光子のエネルギー×１秒間にできる磁気の光子の数＝１Ｋｇ÷（１．６７２６５×１０−２７Ｋｇ）×２．６８１×１０−３６Ｊ×７．９６×１０７×（４．３４×１０４）２＝２．４０３×１０８Ｊ
２．４×１０８Ｊです。これは約ｍｃです。ｍ＝１で、ｃ≒２．４×１０８とする。
よって、ｍＫｇの物質の中で、陽子のラブが１秒間に作る磁気の光子のエネルギーは、２．４×１０８Ｊ≒ｍｃＪです。式は、ｍ×２．４×１０８Ｊ／Ｋｇ≒ｍｃＪ／ｋｇです。
・１Ｋｇの物質の中で、陽子のラブが１秒間に作る電気の光子のエネルギーは、
１Ｋｇの物質の陽子のラブの数×陽子のラブが作る１個の電気の光子のエネルギー×１秒間にできる電気の光子の数＝１Ｋｇ÷（１．６７２６５×１０−２７Ｋｇ）×１．１６４×１０−３１Ｊ×７．９６×１０７×４．３４×１０４＝２．４０４×１０８Ｊ
２．４×１０８Ｊです。これはｍｃです。ｍ＝１で、ｃ＝２．４×１０８とする。
よって、ｍＫｇの物質の中で、陽子のラブが１秒間に作る電気の光子のエネルギーは、２．４×１０８Ｊ≒ｍｃＪです。式は、Ｅ＝ｍ×２．４×１０８Ｊ／Ｋｇ≒ｍｃＪ／Ｋｇです。
ｍＫｇの物質の中で、陽子のラブが１秒間に作る磁気の光子のエネルギーと電気の光子のエネルギーの式は夫々、Ｅ＝ｍ×２．４×１０８Ｊ／Ｋｇ≒ｍｃＪ／ｋｇです。
○１個の陽子のラブの場合。
Ｅ＝ｍ×２．４×１０８Ｊ／Ｋｇ＝１．６７２６５×１０−２７Ｋｇ×２．４×１０８Ｊ／Ｋｇ＝４．０１４×１０−１９Ｊ
１個の陽子のラブが１秒間に作る磁気の光子のエネルギーと電気の光子のエネルギーは夫々、４．０１４×１０−１９Ｊです。
２．陽子のラブが１秒間に作る磁気の光子のエネルギーと電気の光子のエネルギーは夫々、Ｅ＝２．３２×１０−３２Ｊｍ÷公転軌道で、公転軌道が５．７６４×１０−１４ｍですから、Ｅ＝４．０４×１０−１９Ｊです。この式は、Ｅ＝ｍ×２．４×１０８Ｊ／Ｋｇです。
陽子のラブが１秒間に作る磁気の光子のエネルギーと電気の光子のエネルギーは夫々、Ｅ＝陽子のラブの質量×２．４×１０８Ｊ／Ｋｇ＝１．６７２６５×１０−２７Ｋｇ×２．４×１０８Ｊ＝４．０１４×１０−１９Ｊです。
よって、陽子のラブが１秒間に作る磁気の光子のエネルギーと電気の光子のエネルギーは夫々、Ｅ＝ｍ×２．４×１０８Ｊ／Ｋｇ≒ｍｃＪ／Ｋｇです。
３．ｍＫｇの物質の中で、電子のラブが１秒間に作る磁気の光子のエネルギーと電気の光子のエネルギーは夫々どのような式で求められるか。
物質として存在する電子のラブは、原子の中に１個存在するから、電子のラブ１個を原子の質量として計算する。原子の質量＝１．６６０６×１０−２７Ｋｇ
・１Ｋｇの物質の中の電子のラブの数＝１Ｋｇ÷（１原子の質量）＝１ｋｇ÷（１．６６０６×１０−２７Ｋｇ）＝６．２２７×１０２６個
１Ｋｇの物質の中の電子のラブが１秒間に作る磁気の光子のエネルギーは、
１Ｋｇの物質の中の電子のラブの数×電子のラブが作る１個の磁気の光子のエネルギー×１秒間にできる磁気の光子の数＝１Ｋｇ÷（１原子の質量）×１．４６４×１０−３９Ｊ×（７．９６×１０７）３＝１Ｋｇ÷（１．６６０６×１０−２７Ｋｇ）×１．４６４×１０−３９Ｊ×（７．９６×１０７）３＝４．４４６×１０１１Ｊ
４．４４６×１０１１Ｊです。
よって、ｍＫｇの物質の中の電子のラブが１秒間に作る磁気の光子のエネルギーは、ｍ×４．４４６×１０１１Ｊです。
式は、Ｅ＝ｍ×４．４４６×１０１１Ｊ／Ｋｇです。
・１Ｋｇの物質の中の電子のラブが１秒間に作る電気の光子のエネルギーは、
１Ｋｇの物質の中の電子のラブの数×電子のラブが作る１個の電気の光子のエネルギー×１秒間にできる電気の光子の数＝１Ｋｇ÷（１原子の質量）×１．１６４×１０−３１Ｊ×７．９６×１０７×（４．３４×１０４）２＝１Ｋｇ÷（１．６６０６×１０−２７Ｋｇ）×１．１６４×１０−３１Ｊ×７．９６×１０７×（４．３４×１０４）２＝４．４４６×１０１１Ｊ
４．４４６×１０１１Ｊです。
よって、ｍＫｇの物質の中の電子のラブが１秒間に作る電気の光子のエネルギーは、ｍ×４．４４６×１０１１Ｊです。
式は、Ｅ＝ｍ×４．４４６×１０１１Ｊ／Ｋｇです。
ｍＫｇの物質の中で、電子のラブが１秒間に作る磁気の光子のエネルギーと電気の光子のエネルギーの式は夫々、Ｅ＝ｍ×４．４４６×１０１１Ｊ／Ｋｇです。
○１個の電子のラブの場合。
Ｅ＝ｍ×４．４４６×１０１１Ｊ／Ｋｇ＝原子の質量×４．４４６×１０１１Ｊ／Ｋｇ＝１．６６０６×１０−２７Ｋｇ×４．４４６×１０１１Ｊ／Ｋｇ＝７．３８３×１０−１６Ｊ
１個の電子のラブが１秒間に作る磁気の光子のエネルギーと電気の光子のエネルギーは夫々、７．３８３×１０−１６Ｊです。
４．電子のラブが１秒間に作る磁気の光子のエネルギーと電気の光子のエネルギーは夫々、７．８１５×１０−２６Ｊｍ÷公転軌道で、公転軌道が１．０５８３６×１０−１０ｍですから、エネルギーは７．３８２×１０−１６Ｊです。これは、Ｅ＝ｍ×４．４４６×１０１１Ｊ／Ｋｇの値です。
物質として存在する電子のラブは、原子の中に１個存在するから、電子のラブ１個を原子の質量として計算する。ｍ＝原子の質量＝１．６６０６×１０−２７Ｋｇ
電子のラブが１秒間に作る磁気の光子のエネルギーと電気の光子のエネルギーは夫々、Ｅ＝原子の質量×４．４４６×１０１１Ｊ／Ｋｇ＝１．６６０６×１０−２７Ｋｇ×４．４４６×１０１１Ｊ／Ｋｇ＝７．３８３×１０−１６Ｊです。
よって、電子のラブが１秒間に作る磁気の光子のエネルギーと電気の光子のエネルギーは夫々、Ｅ＝原子の質量×４．４４６×１０１１Ｊ／Ｋｇです。
５．ｍＫｇの物質の中の電子のラブが１秒間に作る磁気の光子のエネルギーは、ｍＫｇの物質の中の陽子のラブが１秒間に作る磁気の光子のエネルギーの何倍か。ｍＫｇの物質の中の電子のラブが１秒間に作る電気の光子のエネルギーは、ｍＫｇの物質の中の陽子のラブが１秒間に作る電気の光子のエネルギーの何倍か。
・ｍＫｇの物質の中の電子のラブが１秒間に作る磁気の光子のエネルギーは、ｍ×４．４４６×１０１１Ｊです。
ｍＫｇの物質の中の陽子のラブが１秒間に作る磁気の光子のエネルギーは、ｍ×２．４×１０８Ｊです。
よって、ｍＫｇの物質の中の電子のラブが１秒間に作る磁気の光子のエネルギーは、ｍＫｇの物質の中の陽子のラブが１秒間に作る磁気の光子のエネルギーの、ｍ×４．４４６×１０１１Ｊ÷（ｍ×２．４×１０８Ｊ）＝１．８５２５×１０３倍です。
・ｍＫｇの物質の中の電子のラブが１秒間に作る電気の光子のエネルギーは、ｍ×４．４４６×１０１１Ｊです。
ｍＫｇの物質の中の陽子のラブが１秒間に作る電気の光子のエネルギーは、ｍ×２．４×１０８Ｊです。
よって、ｍＫｇの物質の中の電子のラブが１秒間に作る電気の光子のエネルギーは、ｍＫｇの物質の中の陽子のラブが１秒間に作る電気の光子のエネルギーの、ｍ×４．４４６×１０１１Ｊ÷（ｍ×２．４×１０８Ｊ）＝１．８５２５×１０３倍です。
６．ｍＫｇの電子のラブが１秒間に作る磁気の光子のエネルギーと電気の光子のエネルギーは夫々どのような式で求められるか。
電子のラブが１秒間に作る磁気の光子のエネルギーの式を、Ｅ＝ＡＪ／Ｋｇとする。
電子のラブは、９．１０９５×１０−３１Ｋｇで、１秒間に７．３８２×１０−１６Ｊの磁気の光子を作りますから、
７．３８２×１０−１６Ｊ＝Ａ×９．１０９５×１０−３１Ｋｇ
Ａ＝７．３８２×１０−１６Ｊ÷（９．１０９５×１０−３１Ｋｇ）＝８．１００×１０１４です。
よって、電子のラブが１Ｋｇで１秒間に作る磁気の光子のエネルギーの式は、
Ｅ＝８．１×１０１４Ｊ／Ｋｇです。
電子のラブがｍＫｇで１秒間に作る磁気の光子のエネルギーの式は、
Ｅ＝ｍ×８．１×１０１４Ｊ／Ｋｇです。
電子のラブがｍＫｇで１秒間に作る電気の光子のエネルギーの式は、
Ｅ＝ｍ×８．１×１０１４Ｊ／Ｋｇです。
ｍＫｇの電子のラブが１秒間に作る磁気の光子のエネルギーと電気の光子のエネルギーの式は夫々、Ｅ＝ｍ×８．１×１０１４Ｊ／Ｋｇです。
○１個の電子のラブの場合。
Ｅ＝ｍ×８．１×１０１４Ｊ／Ｋｇ＝９．１０９５×１０−３１Ｋｇ×８．１×１０１４Ｊ／Ｋｇ＝７．３７９×１０−１６Ｊ
１個の電子のラブが１秒間に作る磁気の光子のエネルギーと電気の光子のエネルギーは夫々、７．３７９×１０−１６Ｊです。
７．ｍＫｇの物質の中の陽子のラブが１秒間に作る電気の光子のエネルギー×磁気の光子のエネルギーはどのような式で求められるか。
▲１▼電子の光子１個と磁気の光子１個を基本単位にする場合。
「請求項１」より、ｍＫｇの物質の中で、陽子のラブが１秒間に作る磁気の光子のエネルギーと電気の光子のエネルギーの式は夫々、Ｅ＝ｍ×２．４×１０８Ｊ／Ｋｇ≒ｍｃＪ／ｋｇです。
それで、ｍＫｇの物質の中で、陽子のラブが１秒間に作る電気の光子のエネルギー×磁気の光子のエネルギーは、
（ｍ×２．４×１０８Ｊ）２＝ｍ２×５．７７６×１０１６Ｊです。
ｍＫｇの物質の中で、陽子のラブが１秒間に作る電気の光子のエネルギー×磁気の光子のエネルギーを求める式は、Ｅ＝ｍ２×５．７７６×１０１６Ｊ／Ｋｇです。
○１個の陽子のラブの場合。
Ｅ＝ｍ２×５．７７６×１０１６Ｊ／Ｋｇ＝陽子のラブの質量２×５．７７６×１０１６Ｊ／Ｋｇ＝（１．６７２×１０−２７Ｋｇ）２×５．７７６×１０１６Ｊ／Ｋｇ＝１．６１５×１０−３７Ｊ
１個の陽子のラブが１秒間に作る電気の光子のエネルギー×磁気の光子のエネルギーは、１．６１５×１０−３７Ｊです。
又、陽子のラブが１秒間に作る電気の光子のエネルギーと磁気の光子のエネルギーは夫々、４．０２×１０−１９Ｊですから、
陽子のラブが１秒間に作る電気の光子のエネルギー×磁気の光子のエネルギー＝（４．０２×１０−１９Ｊ）２＝１．６１６×１０−３７Ｊです。
従って、Ｅ＝ｍ２×５．７７６×１０１６Ｊ／Ｋｇの式は正しい。
・ｍＫｇの物質の中で、陽子のラブが１秒間に作る電気の光子のエネルギーと磁気の光子のエネルギーは夫々、ｍｃＪであるとするならば、ｍＫｇの物質の中で、陽子のラブが１秒間に作る磁気の光子のエネルギー×電気の光子のエネルギーは、ｍ２ｃ２Ｊです。
▲２▼電気の光子のエネルギーと磁気の光子のエネルギーの基本単位を１束（核磁子）とする場合。
１個の陽子のラブは１秒間に電気の光子を７．９６×１０７束作り、磁気の光子を７．９６×１０７束作る。
１個の陽子のラブが１秒間に作る電気の光子のエネルギー×磁気の光子のエネルギー＝核磁子×（７．９６×１０７束）２＝５．０５×１０−２７Ｊ×（７．９６×１０７束）２＝３．２×１０−１１Ｊ
１Ｋｇの物質の中の陽子のラブが１秒間に作る電気の光子のエネルギー×磁気の光子のエネルギーは、
１Ｋｇの物質の中の陽子のラブの数×核磁子×１秒間にできる電気の光子の束×１秒間にできる磁気の光子の束＝１Ｋｇ÷陽子の質量×５．０５×１０−２７Ｊ×７．９６×１０７束×７．９６×１０７束＝＝１Ｋｇ÷（１．６７２×１０−２７Ｋｇ）×５．０５×１０−２７Ｊ×７．９６×１０７束×７．９６×１０７束＝１．９１４×１０１６Ｊです。
ｍＫｇでは、ｍ×１．９１４×１０１６Ｊです。
ｍＫｇの物質の中の陽子のラブが１秒間に作る電気の光子のエネルギー×磁気の光子のエネルギーを求める式は、Ｅ＝ｍ×１．９１４×１０１６Ｊ／Ｋｇです。
○１個の陽子のラブの場合。
Ｅ＝ｍ×１．９１４×１０１６Ｊ／Ｋｇ＝陽子のラブの質量×１．９１４×１０１６Ｊ／Ｋｇ＝（１．６７２×１０−２７Ｋｇ）×１．９１４×１０１６Ｊ／Ｋｇ＝３．２０×１０−１１Ｊ
１個の陽子のラブが１秒間に作る電気の光子のエネルギー×磁気の光子のエネルギーは、３．２０×１０−１１Ｊです。
又、陽子のラブが１秒間に作る電気の光子のエネルギー×磁気の光子のエネルギーは、
核磁子×（７．９６×１０７束）２＝５．０５×１０２７Ｊ×（７．９６×１０７束）２＝３．２×１０−１１Ｊです。
・このように、光子の基本単位を１個の光子にする場合と、１束の光子にする場合では、式が変わってくる。
求めるエネルギーも変わってくる。
▲１▼の場合は、求めるエネルギーは小さすぎるので、▲２▼の値です。
８．ｍＫｇの物質の中の電子のラブが１秒間に作る電気の光子のエネルギー×磁気の光子のエネルギーはどのような式で求められるか。
▲１▼電気の光子１個と磁気の光子１個を基本単位とする場合。
「請求項３」より、ｍＫｇの物質の中で、電子のラブが１秒間に作る磁気の光子のエネルギーと電気の光子のエネルギーの式は夫々、Ｅ＝ｍ×４．４４６×１０１１Ｊ／Ｋｇです。
それで、ｍＫｇの物質の中の電子のラブが１秒間に作る電気の光子のエネルギー×磁気の光子のエネルギーは、
（ｍ×４．４４６×１０１１Ｊ）２＝ｍ２×１．９７７×１０２３Ｊです。
ｍＫｇの物質の中の電子のラブが１秒間に作る電気の光子のエネルギー×磁気の光子のエネルギーを求める式は、Ｅ＝ｍ２×１．９７７×１０２３Ｊ／Ｋｇです。
○１個の電子のラブの場合。
この場合、１原子に１個の電子のラブが存在するので、１電子のラブの質量を１原子の質量として計算する。
Ｅ＝ｍ２×１．９７７×１０２３Ｊ／Ｋｇ＝原子の質量２×１．９７７×１０２３Ｊ／Ｋｇ＝（１．６６０６×１０−２７Ｋｇ）２×１．９７７×１０２３Ｊ／Ｋｇ＝５．４５２×１０−３１Ｊ
１個の電子のラブが１秒間に作る電気の光子のエネルギー×磁気の光子のエネルギーは、５．４５２×１０−３１Ｊです。
又、電子のラブが１秒間に作る電気の光子のエネルギーと磁気の光子のエネルギーは夫々、７．３８２×１０−１６Ｊですから、
電子のラブが１秒間に作る電気の光子のエネルギー×磁気の光子のエネルギー＝（７．３８２×１０−１６Ｊ）２＝５．４４９×１０−３１Ｊ
５．４４９×１０−３１Ｊです。
よって、Ｅ＝ｍ２×１．９７７×１０２３Ｊ／Ｋｇの式は正しい。
▲２▼電気の光子のエネルギーと磁気の光子のエネルギーの基本単位を１束（ボーア磁子）とする場合。
１個の電子のラブは１秒間に電気の光子を７．９６×１０７束作り、磁気の光子を７．９６×１０７束作る。
１個の電子のラブが１秒間に作る電気の光子のエネルギー×磁気の光子のエネルギー＝ボーア磁子×（７．９６×１０７束）２＝９．２７４×１０−２４Ｊ×（７．９６×１０７束）２＝５．８７６×１０−８Ｊ
１Ｋｇの物質の中の電子のラブが１秒間に作る電気の光子のエネルギー×磁気の光子のエネルギーは、
１Ｋｇの物質の中の電子のラブの数×ボーア磁子×１秒間にできる電気の光子の束×１秒間にできる磁気の光子の束＝１Ｋｇ÷原子の質量×９．２７４×１０−２４Ｊ×７．９６×１０７束×７．９６×１０７束＝＝１Ｋｇ÷（１．６６０６×１０−２７Ｋｇ）×９．２７４×１０−２４Ｊ×７．９６×１０７束×７．９６×１０７束＝３．５３８×１０１９Ｊです。
ｍＫｇでは、ｍ×３．５３８×１０１９Ｊです。
ｍＫｇの物質の中の電子のラブが１秒間に作る電気の光子のエネルギー×磁気の光子のエネルギーを求める式は、Ｅ＝ｍ×３．５３８×１０１９Ｊ／Ｋｇです。
○１個の電子のラブの場合。
Ｅ＝原子の質量×３．５３８×１０１９Ｊ／Ｋｇ＝１．６６０６×１０−２７Ｋｇ×３．５３８×１０１９Ｊ／Ｋｇ＝５．８７５×１０−８Ｊ
１個の電子のラブが１秒間に作る電気の光子のエネルギー×磁気の光子のエネルギーは、５．８７５×１０−８Ｊです。
１個の電子のラブが１秒間に作る電気の光子のエネルギー×磁気の光子のエネルギー＝ボーア磁子×（７．９６×１０７束）２＝９．２７４×１０−２４Ｊ×（７．９６×１０７束）２＝５．８７６×１０−８Ｊ
９．ｍＫｇの電子のラブが１秒間に作る電気の光子のエネルギー×磁気の光子のエネルギーはどのような式で求められるか。
▲１▼電気の光子１個と、磁気の光子１個を基本単位にする場合。
「請求項６」より、ｍＫｇの電子のラブが１秒間に作る磁気の光子のエネルギーと電気の光子のエネルギーの式は夫々、Ｅ＝ｍ×８．１×１０１４Ｊ／Ｋｇです。
それで、ｍＫｇの電子のラブが１秒間に作る電気の光子のエネルギー×磁気の光子のエネルギーは、
（ｍ×８．１×１０１４Ｊ）２＝ｍ２×６．５６１×１０２９Ｊです。
ｍＫｇの電子のラブが１秒間に作る電気の光子のエネルギー×磁気の光子のエネルギーを求める式は、Ｅ＝ｍ２×６．５６１×１０２９Ｊ／Ｋｇです。
Ｏ１個の電子のラブの場合。
Ｅ＝ｍ２×６．５６１×１０２９Ｊ／Ｋｇ＝（９．１０９５×１０−３１Ｋｇ）２×６．５６１×１０２９Ｊ／Ｋ＝５．４４５×１０−３１Ｊ
１個の電子のラブが１秒間に作る電気の光子のエネルギー×磁気の光子のエネルギーは、５．４４５×１０−３１Ｊです。
又、電子のラブが１秒間に作る電気の光子のエネルギーと磁気の光子のエネルギーは夫々、７．３８２×１０−１６Ｊですから、
１個の電子のラブが１秒間に作る電気の光子のエネルギー×磁気の光子のエネルギー＝（７．３８２×１０−１６Ｊ）２＝５．４４９×１０−３１Ｊ
５．４４９×１０−３１Ｊです。
従って、Ｅ＝ｍ２×６．５６１×１０２９Ｊ／Ｋｇの式は正しい。
▲２▼電気の光子のエネルギーと磁気の光子のエネルギーの基本単位を１束（ボーア磁子）とする場合。
１個の電子のラブは１秒間に電気の光子を７．９６×１０７束作り、磁気の光子を７．９６×１０７束作る。
１個の電子のラブが１秒間に作る電気の光子のエネルギー×磁気の光子のエネルギー＝ボーア磁子×（７．９６×１０７束）２＝９．２７４×１０−２４Ｊ×（７．９６×１０７束）２＝５．８７６×１０−８Ｊ
１Ｋｇの電子のラブが１秒間に作る電気の光子のエネルギー×磁気の光子のエネルギーは、１Ｋｇの電子のラブの数×ボーア磁子×１秒間にできる電気の光子の束×１秒間にできる磁気の光子の束＝１Ｋｇ÷電子の質量×９．２７４×１０−２４Ｊ×７．９６×１０７束×７．９６×１０７束＝＝１Ｋｇ÷（９．１０９５×１０−３１Ｋｇ）×９．２７４×１０−２４Ｊ×７．９６×１０７束×７．９６×１０７束＝６．４５１×１０２２Ｊです。
ｍＫｇでは、ｍ×６．４５１×１０２２Ｊです。
ｍＫｇの物質の中の電子のラブが１秒間に作る電気の光子のエネルギー×磁気の光子のエネルギーを求める式は、Ｅ＝ｍ×６．４５１×１０２２Ｊ／Ｋｇです。
○１個の電子のラブの場合。
Ｅ＝ｍ×６．４５１×１０２２Ｊ／Ｋｇ＝９．１０９５×１０−３１Ｋｇ×６．４５１×１０２２Ｊ／Ｋｇ＝５．８７７×１０−８Ｊ
１個の電子のラブが１秒間に作る電気の光子のエネルギー×磁気の光子のエネルギーは、５．８７７×１０−８Ｊです。
１個の電子のラブが１秒間に作る電気の光子のエネルギー×磁気の光子のエネルギー＝ボーア磁子×（７．９６×１０７束）２＝９．２７４×１０−２４Ｊ×（７．９６×１０７束）＝５．８７６×１０−８Ｊ
これを表にする。
2007236190.tif 000003
2007236190.tif 000004
１０．引くエネルギーと引かれるエネルギーについて。
引くエネルギーと引かれるエネルギーはつりあっています。
引くエネルギー＝引かれるエネルギー
引くエネルギー＝電子のラブが作る磁気の光子のエネルギー
引かれるエネルギー＝電子のラブが作る電気の光子のエネルギー
（電子のラブが作る電気の光子のエネルギー＝電子のラブが作る磁気の光子のエネルギーであるから、）
引くエネルギー＝電子のラブが作る磁気の光子のエネルギー＝引かれるエネルギー＝電子のラブが作る電気の光子のエネルギー
電子のラブが作った磁気の光子のエネルギーによって、電気の光子は引き付けられている。
又、次のようにも考える事ができる。
引力＝（引くエネルギー）２＝（電子のラブが作る磁気の光子のエネルギー）２
電子のラブによって引かれるエネルギー＝電気の光子のエネルギー×磁気の光子のエネルギー＝（磁気の光子のエネルギー）２
よって、引力＝（引くエネルギー）２＝（電子のラブが作る磁気の光子のエネルギー）２＝電子のラブによって引かれるエネルギー＝電気の光子のエネルギー×磁気の光子のエネルギー＝（磁気の光子のエネルギー）２
電子のラブが作った磁気の光子によって、磁気の光子のエネルギーの２乗の引力ができ、磁気の光子×電気の光子を引き付けている。
この事によって、電子のラブは自分が作った電気の光子のエネルギーと磁気の光子のエネルギーを引き付けていることが理解できる。
１１．高エネルギーで加速後、陽子のラブは鉄板を通過してしまうが、陽子のラブの周囲に引き付けられている電気の光子と磁気の光子は鉄板にあたる。その電気の光子と磁気の光子はどのような状態であるか。
陽子のラブには何束の電気の光子と、何束の磁気の光子が引き付けられているか。
引くエネルギー＝引かれるエネルギー  であるから、
陽子のラブのエネルギーと同じ電気の光子のエネルギーと磁気の光子のエネルギーが引き付けられている。
陽子のラブのエネルギー÷（核磁子）＝１．５×１０−１０Ｊ÷（５．０５×１０−２７Ｊ）＝２．９７×１０１６束
２．９７×１０１６束の電気の光子と磁気の光子が引き付けられている。
電気の光子と磁気の光子は夫々、（２．９７×１０１６束）１／２＝１．７２３×１０８束ずつ引き付けられている。
この電気の光子のエネルギーは、１．７２３×１０８束×５．０５×１０−２７Ｊ＝８．７×１０−１９Ｊです。
この電気の光子のエネルギーは、１．７２３×１０８束×５．０５×１０−２７Ｊ＝８．７×１０−１９Ｊです。
しかし、引き付けられている電気の光子のエネルギー×引き付けられている磁気の光子のエネルギー＝８．７×１０−１９Ｊ×８．７×１０−１９Ｊ＝７．５６９×１０−３７Ｊであり、１．５×１０−１０Ｊには成らない。
この事は、電気の光子と磁気の光子は１個１個では存在せず、束になって存在している事を示している。
陽子のラブの周囲には、電気の光子が１．７２３×１０８束と磁気の光子が１．７２３×１０８束、引き付けられている。
１．７２３×１０８束の電気の光子と、１．７２３×１０８束の磁気の光子は何秒でできたか。
１秒に７．９６×１０７束できるから、｛１．７２３×１０８束÷（７．９６×１０７束）｝２＝４．６８７秒でできる。
陽子のラブの周囲に引き付けられている電気の光子と磁気の光子は４．６８７秒でできた。
・Ｅ＝ｍｃ２Ｊの陽子のエネルギーとは、陽子のラブの周囲に引き付けられている磁気の光子のエネルギー×電気の光子のエネルギーである。そのエネルギーは、陽子のラブが、４．６８７秒回転し作るエネルギーであり、１．７２３×１０８束ずつの電気の光子と磁気の光子のエネルギーである。この磁気の光子と電気の光子が鉄板にあたり、陽子のエネルギーとして測定されている。
１２．高エネルギーで加速後、電子のラブは鉄板を通過してしまうが、電子のラブの周囲に引き付けられている電気の光子と磁気の光子は鉄板にあたる。その電気の光子と磁気の光子の状態はどのようであるか。
電子のラブには何束の電気の光子と、何束の磁気の光子が引き付けられているか。
電子のラブのエネルギーと同じの電気の光子のエネルギーと磁気の光子のエネルギーが引き付けられているから、
電子のラブのエネルギー÷（ボーア磁子）＝８．１８７×１０−１４Ｊ÷（９．２７４×１０−２４Ｊ）＝８．８２８×１０８束
８．８２８×１０８束の電気の光子と磁気の光子が引き付けられている。
電気の光子と磁気の光子は夫々、（８．８２８×１０８束）１／２＝９．３９６×１０４束ずつ引き付けられている。
この電気の光子のエネルギーは、９．３９６×１０４束×９．２７４×１０−２４Ｊ＝８．７１４×１０−１９Ｊです。
この電気の光子のエネルギーは、９．３９６×１０４束×９．２７４×１０−２４Ｊ＝８．７１４×１０−１９Ｊです。
しかし、引き付けられている電気の光子のエネルギー×引き付けられている磁気の光子のエネルギー＝８．７１４×１０−１９Ｊ×８．７１４×１０−１９Ｊ＝７．５９３×１０−３７Ｊであり、８．１８７×１０−１４Ｊには成らない。
この事は、電気の光子と磁気の光子は１個１個では存在せず、束になって存在している事を示している。
電子のラブの周囲には、電気の光子が９．３９６×１０４束と磁気の光子が９．３９６×１０４束、引き付けられている。
９．３９６×１０４束の電気の光子と、９．３９６×１０４束の磁気の光子は何秒でできたか。
１秒に７．９６×１０７束できるから、｛９．３９６×１０４束÷（７．９６×１０７束）｝＝１．３９２×１０−６秒でできる。
電子のラブの周囲に引き付けられている電気の光子と磁気の光子は１．３９２×１０−６秒でできた。
・Ｅ＝ｍｃ２の電子のエネルギーとは、電子のラブの周囲に引き付けられている磁気の光子のエネルギー×電気の光子のエネルギーである。そのエネルギーは、電子のラブが、１．３９２×１０−６秒回転し作るエネルギーであり、９．３９６×１０４束ずつの電気の光子と磁気の光子のエネルギーです。この磁気の光子と電気の光子が鉄板にあたり、陽子のエネルギーとして測定されている。
１３．陽子のラブはどのように回転し、どのように電気の光子と磁気の光子の束を作るのか。
▲１▼陽子のラブは１自転し、１個の磁気の光子のコイルを作る。陽子のラブは、１公転し電気の光子のコイル１個と磁気の光子のコイル４．３４×１０４個を作る。電気の光子のコイル１個に、磁気の光子のコイルが４．３４×１０４個巻きついている。
▲２▼陽子のラブは、前に走った電気の光子のコイルの横を走る。そして電気の光子のコイルを作る。この電気の光子のコイルは磁気の光子のコイルによって次々結合し、重なり合う。この重なり合った電気の光子を「太い電気の光子のコイル」と名づける。
▲３▼磁気の光子も次々重なり合う。この重なり合った磁気の光子を「太い磁気の光子のコイル」と名づける。
▲４▼１束に成った時には、磁気の光子は４．３４×１０４個重なり合って、１つの太い磁気の光子のコイルに成り、電気の光子は４．３４×１０４個重なり合って、１つの太い電気の光子のコイルになる。１つの太い電気の光子のコイルに、４．３４×１０４個の太い磁気の光子のコイルが巻きついている。
このように陽子のラブは、規則正しく整然と自転し、公転します。
１４．どうして陽子のラブの１束は、４．３４×１０４公転でできる電気の光子の輪が集まり、電子のラブの１束は、７．９６×１０７公転でできる電気の光子の輪が集まっているのか。
電子のラブの自転軌道＝陽子のラブの自転軌道＝４．１８×１０−１８ｍです。電子のラブの公転軌道は１．０５８×１０−１０ｍです。陽子のラブの公転軌道は５．７６４×１０−１４ｍです。
陽子のラブは、１公転したら、次の公転は前の公転軌道の隣を進みます。それで、陽子のラブが球体を１週するとき、何回公転できるか。
１週する長さ÷自転軌道＝３．１４×５．７６４×１０−１４ｍ÷（４．１８×１０−１８ｍ）＝４．３３×１０４回公転できる。
それで、この公転でできた電気の光子が１束になる。
どうして陽子のラブは前回通った道のすぐ横を進むのか。
前回通った道には磁気の光子ができているので、その磁気の光子が引き付けている。
陽子のラブは、前に作った磁気の光子のすぐ横を通って又新しく磁気の光子を作ります。
それで、磁気の光子と磁気の光子は結合し、重なり合います。
陽子のラブは、前に通った電気の光子のすぐ横を通って又新しく電気の光子を作ります。
磁気の光子と磁気の光子は結合し、重なり合いますから、電気の光子と電気の光子も結合し、重なり合います。
このように、陽子のラブは、前に通ったすぐ横を通るので、できた順に電気の光子のコイルは重なり合う事ができます。
もし、かけ離れた所をランダムに回転していたら、束を作ることは難しく成ります。
陽子のラブの周囲に引き付けられている電気の光子と磁気の光子は束になって存在しているのですから、束は電気の光子と磁気の光子が作られてすぐに束になったと考えられます。
これらの事によって、陽子のラブは、前に通ったすぐ横の公転軌道を通ると理解できます。
「神様はサイコロを振らなかった」と言えます。
電子のラブも同様です。
電子のラブは、１公転したら、次の公転は前の公転軌道の隣を進みます。それで、電子のラブが球体を１週するとき、何回公転できるか。
１週する長さ÷自転軌道＝３．１４×１．０５８×１０−１０ｍ÷（４．１８×１０−１８ｍ）＝７．９４８×１０７回公転できる。
それで、この公転でできた電気の光子が１束になる。
・１束作る時間と、１公転する時間について。
陽子のラブの場合。
１週するとき（４．３４×１０４公転するとき）の時間は、１秒÷（７．９６×１０７束）＝１．２５６×１０−８秒です。
１．２５６×１０−８秒で１束できます。
１公転するときの時間は、１．２５６×１０−８秒÷（４．３４×１０４公転）＝２．８９４×１０−１３秒です。
・電子のラブの場合。
１週するとき（７．９６×１０７公転するとき）の時間は、１秒÷（７．９６×１０７束）＝１．２５６×１０−８秒です。
１．２５６×１０−８秒で１束できます。
１公転するときの時間は、１．２５６×１０−８秒÷（７．９６×１０７公転）＝１．５７８×１０−１６秒です。
陽子のラブは１秒間に、３．４５５×１０１２回公転し、電子のラブは１秒間に、６．３３６×１０１５回も公転するので、ランダムに回転するとしか観測できない。
これを表にする。
2007236190.tif 000005
2007236190.tif 000006
１５．万有引力の発生原理。
私は、特願２００６−３３６３５２の「請求項２」で、
電子のラブが１自転で作る磁気の光子のエネルギー＝１．５４９×１０−４９Ｊｍ÷公転軌道
陽子のラブが１自転で作る磁気の光子のエネルギー＝１．５４９×１０−４９Ｊｍ÷公転軌道
と記しました。
よって、
電子のラブが１自転で作る磁気の光子１個のエネルギー＝１．５４９×１０−４９Ｊｍ÷公転軌道
電子のラブが作る磁気の光子１個のエネルギー＝１．５４９×１０−４９Ｊｍ÷公転軌道
電子のラブが作る磁気の光子１個のエネルギー×公転軌道＝１．５４９×１０−４９Ｊｍ
電子のラブが作る磁気の光子１個の公転軌道エネルギー＝１．５４９×１０−４９Ｊｍ
同様に、
陽子のラブが作る磁気の光子１個の公転軌道エネルギー＝１．５４９×１０−４９Ｊｍ
それで、１原子が作る磁気の光子の公転軌道エネルギーは、１．５４９×１０−４９Ｊｍ×２＝３．１×１０−４９Ｊｍです。
この磁気の光子の軌道エネルギーが万有引力になっている。
但し、陽子のラブが作る磁気の光子の数は、電子のラブが作る磁気の光子の数の１８３６分の１です。それで、万有引力は電子のラブが作る磁気の光子によってできると考えてよい。
１６．万有引力はどのようにできるか。万有引力の解明。
万有引力は、６．６７２×１０−１１Ｊｍ／Ｋｇ２であり、これは物質１Ｋｇと物質１Ｋｇが１ｍ間隔で存在するとき、その磁気の光子の公転軌道エネルギーは６．６７２×１０−１１Ｊｍである事を示す。
ボーア磁子は核磁子の、９．２７４×１０−２４Ｊ÷（５．０５×１０−２７Ｊ）＝１８３６倍ですから、物質１Ｋｇが放出する磁気の光子は、電子のラブが作った磁気の光子です。
ボーア磁子は９．２７４×１０−２４Ｊです。この軌道は１．０５８×１０−１０ｍです。
７．９６×１０７個の電気の光子のコイルと（７．９６×１０７個）２個の磁気の光子のコイルが重なり合って、存在する束がボーア磁子である。
それで、ボーア磁子の軌道エネルギーは、９．２７４×１０−２４Ｊ×１．０５８×１０−１０ｍ＝９．８１２×１０−３４Ｊｍです。
万有引力は、６．６７２×１０−１１Ｊｍ／Ｋｇ２です。これは何個のボーア磁子か。
６．６７２×１０−１１Ｊｍ÷（９．８１２×１０−３４Ｊｍ）＝６．８０×１０２２個のボーア磁子です。
１Ｋｇから放出するボーア磁子は何個か。
（６．８０×１０２２個）１／２＝２．６０８×１０１１個のボーア磁子です。
１原子から放出するボーア磁子は何個か。
２．６０８×１０１１個÷（６×１０２６原子）＝４．３４６×１０−１６個のボーア磁子です。
このボーア磁子の公転軌道エネルギーはいくらか。
４．３４６×１０−１６個×９．８１２×１０−３４Ｊｍ＝４．２６４×１０−４９Ｊｍです。
よって、１原子から放出する磁気の光子の公転軌道エネルギーは、４．２６４×１０−４９Ｊｍです。
・これはどのようにできる磁気の光子の軌道エネルギーか。
電子のラブが作る磁気の光子１個のエネルギーは１．４６４×１０−３９Ｊです。公転軌道は１．０５８×１０−１０ｍです。
ボーア磁子の中で、磁気の光子１個の公転軌道エネルギーは、
電子のラブが作る磁気の光子１個のエネルギー×磁気の光子の公転軌道＝１．４６４×１０−３９Ｊ×１．０５８×１０−１０ｍ＝１．５４９×１０−４９Ｊｍです。
それで、このエネルギーが万有引力と成っている。
１原子から放出する磁気の光子の軌道エネルギーが万有引力に成っている。
又更に、陽子のラブが作る磁気の光子１個の公転軌道エネルギーも、
陽子のラブが作る磁気の光子１個のエネルギー×磁気の光子の公転軌道＝２．６８１×１０−３６Ｊ×５．７６４×１０−１４＝１．５４５×１０−４９Ｊｍ
１．５４５×１０−４９Ｊｍですから、この磁気の光子の公転軌道エネルギーも、万有引力に成っている。
但し、陽子のラブが作る磁気の光子の数は、電子のラブが作る磁気の光子の数の１８３６分の１です。それで、万有引力は電子のラブが作る磁気の光子によってできると考えてよい。
【発明の効果】
【０００６】次の事が理解できた。
１．ｍＫｇの物質の中で、陽子のラブが１秒間に作る磁気の光子のエネルギーと電気の光子のエネルギーの式は夫々、Ｅ＝ｍ×２．４×１０８Ｊ／Ｋｇ≒ｍｃＪ／ｋｇです。
２．ｍＫｇの物質の中で、電子のラブが１秒間に作る磁気の光子のエネルギーと電気の光子のエネルギーの式は夫々、Ｅ＝ｍ×４．４４６×１０１１Ｊ／Ｋｇです。
３．ｍＫｇの電子のラブが１秒間に作る磁気の光子のエネルギーと電気の光子のエネルギーの式は夫々、Ｅ＝ｍ×８．１×１０１４Ｊ／Ｋｇです。
４．ｍＫｇの物質の中の陽子のラブが１秒間に作る電気の光子のエネルギー×磁気の光子のエネルギーの式は、Ｅ＝ｍ２×５．７７６×１０１６Ｊ／Ｋｇです。この基本単位は１個の光子です。
５．ｍＫｇの物質の中の陽子のラブが１秒間に作る電気の光子のエネルギー×磁気の光子のエネルギーを求める式は、Ｅ＝ｍ×１．９１４×１０１６Ｊ／Ｋｇです。この基本単位は束の光子です。
６．ｍＫｇの物質の中の電子のラブが１秒間に作る電気の光子のエネルギー×磁気の光子のエネルギーを求める式は、Ｅ＝ｍ２×１．９７７×１０２３Ｊ／Ｋｇです。この基本単位は１個の光子です。
７．ｍＫｇの物質の中の電子のラブが１秒間に作る電気の光子のエネルギー×磁気の光子のエネルギーを求める式は、Ｅ＝ｍ×３．５３８×１０１９Ｊ／Ｋｇです。この基本単位は束の光子です。
８．ｍＫｇの電子のラブが１秒間に作る電気の光子のエネルギー×磁気の光子のエネルギーを求める式は、Ｅ＝ｍ２×６．５６１×１０２９Ｊ／Ｋｇです。この基本単位は１個の光子です。
９．ｍＫｇの物質の中の電子のラブが１秒間に作る電気の光子のエネルギー×磁気の光子のエネルギーを求める式は、Ｅ＝ｍ×６．４５１×１０２２Ｊ／Ｋｇです。この基本単位は束の光子です。
１０．引くエネルギー＝電子のラブが作る磁気の光子のエネルギー＝引かれるエネルギー＝電子のラブが作る電気の光子のエネルギー
１１．陽子のラブの場合。引き付けられている電気の光子のエネルギー×引き付けられている磁気の光子のエネルギー＝８．７×１０−１９Ｊ×８．７×１０−１９Ｊ＝７．５６９×１０−３７Ｊであり、１．５×１０−１０Ｊには成らない。
この事は、電気の光子と磁気の光子は１個１個では存在せず、束になって存在している事を示している。
１２．Ｅ＝ｍｃ２Ｊの陽子のエネルギーとは、陽子のラブの周囲に引き付けられている磁気の光子のエネルギー×電気の光子のエネルギーである。そのエネルギーは、陽子のラブが、４．６８７秒回転し作るエネルギーであり、１．７２３×１０８束ずつの電気の光子と磁気の光子のエネルギーである。この磁気の光子と電気の光子が鉄板にあたり、陽子のエネルギーとして測定されている。
１３．電子のラブの場合。引き付けられている電気の光子のエネルギー×引き付けられている磁気の光子のエネルギー＝８．７１４×１０−１９Ｊ×８．７１４×１０−１９Ｊ＝７．５９３×１０−３７Ｊであり、８．１８７×１０−１４Ｊには成らない。
この事は、電気の光子と磁気の光子は１個１個では存在せず、束になって存在している事を示している。
１４．Ｅ＝ｍｃ２の電子のエネルギーとは、電子のラブの周囲に引き付けられている磁気の光子のエネルギー×電気の光子のエネルギーである。そのエネルギーは、電子のラブが、１．１８×１０−３秒回転し作るエネルギーであり、９．３９６×１０４束ずつの電気の光子と磁気の光子のエネルギーです。この磁気の光子と電気の光子が鉄板にあたり、陽子のエネルギーとして測定されている。
１５．陽子のラブは、前に走った電気の光子のコイルの横を走る。そして電気の光子のコイルを作る。この電気の光子のコイルは磁気の光子のコイルによって次々結合し、重なり合う。この重なり合った電気の光子を「太い電気の光子のコイル」と名づける。磁気の光子も次々重なり合う。この重なり合った磁気の光子を「太い磁気の光子のコイル」と名づける。
１６．陽子のラブは、前に通った電気の光子のすぐ横を通って又新しく電気の光子を作ります。
磁気の光子と磁気の光子は結合し、重なり合いますから、電気の光子と電気の光子も結合し、重なり合います．
１７．陽子のラブの周囲に引き付けられている電気の光子と磁気の光子は束になって存在しているのですから、束は電気の光子と磁気の光子が作られてすぐに束になったと考えられます。
これらの事によって、陽子のラブは、前に通ったすぐ横の公転軌道を通ると理解できます。
「神様はサイコロを振らなかった」と言えます。
１８．電子のラブが作る磁気の光子１個の公転軌道エネルギー＝１．５４９×１０−４９Ｊｍ
陽子のラブが作る磁気の光子１個の公転軌道エネルギー＝１．５４９×１０−４９Ｊｍ
１９．万有引力は、６．６７２×１０−１１Ｊｍ／Ｋｇ２であり、これは物質１Ｋｇと物質１Ｋｇが１ｍ間隔で存在するとき、その磁気の光子の公転軌道エネルギーは６．６７２×１０−１１Ｊｍである事を示す。
２０．万有引力と成っている磁気の光子の公転軌道エネルギーは、１原子から放出する磁気の光子の公転軌道エネルギーは、４．２６４×１０−４９Ｊｍです。これは、原子の陽子のラブと電子のラブが作る磁気の光子の公転軌道エネルギーです。
【図面の簡単な説明】
【０００６】
【図１】陽子のラブは１自転し１個の磁気の光子のコイルを作る。陽子のラブは、１公転し電気の光子のコイル１個と磁気の光子のコイル４．３４×１０４個を作る。電気の光子のコイル１個に、磁気の光子のコイルが４．３４×１０４個巻きついている。
【図２】陽子のラブは、前に走った電気の光子のコイルの横を走る。そして電気の光子のコイルを作る。
【図３】この電気の光子のコイルは磁気の光子のコイルによって次々結合し、重なり合う。
【図４】この重なり合った電気の光子を「太い電気の光子のコイル」と名づける。磁気の光子も次々重なり合う。この重なり合った磁気の光子を「太い磁気の光子のコイル」と名づける。
【図５】１束に成った時には、磁気の光子は４．３４×１０４個重なり合って、１つの太い磁気の光子のコイルに成り、電気の光子は４．３４×１０４個重なり合って、１つの太い電気の光子のコイルになる。太い電気の光子のコイルを、４．３４×１０４個の太い磁気の光子のコイルが回転している。
【図６】１原子から放出する、電子のラブが作った公転軌道エネルギーが４．２６４×１０−４９Ｊｍの磁気の光子が引力と成っている。
【符号の説明】
１  陽子のラブ
２  １個の磁気のコイル
３  １個の電気のコイル
４  前に走ってできた電気の光子のコイル
５  横を走る電気の光子のコイル
６  磁気の光子が重なり合い、電気の光子を結合し、重ね合わせる。
７  重なり合ってできる、太い磁気の光子
８  重なり合ってできる、太い電気の光子
９  １束の電磁気
１０  ４．３４×１０４個の磁気の光子が重なり合った太い磁気の光子のコイル
１１  ４．３４×１０４個の電気の光子が重なり合った、太い電気の光子のコイル
１２  原子の電子のラブ
１３  公転軌道が４．２６４×１０−４９Ｊｍの磁気の光子
【図１】
2007236190.tif 000010
【図２】
2007236190.tif 000011
【図３】
2007236190.tif 000012
【図４】
2007236190.tif 000013
【図５】
2007236190.tif 000014
【図６】
2007236190.tif 000015